【手続補正書】
【提出日】平成17年3月3日(2005.3.3)
【手続補正１】
【補正対象書類名】明細書
【補正対象項目名】発明の名称
【補正方法】変更
【補正の内容】
【発明の名称】撹拌搬送部材及び現像装置及びプロセスカートリッジ及び画像形成装置
【手続補正２】
【補正対象書類名】明細書
【補正対象項目名】特許請求の範囲
【補正方法】変更
【補正の内容】
【特許請求の範囲】
【請求項１】
現像剤収納部に収納された現像剤を撹拌しながら搬送する撹拌搬送部材において、
軸部と、
前記軸部の外周表面から突出して螺旋状に設けられた螺旋リブと、
前記軸部の軸線方向において前記螺旋リブのピッチ間に、前記軸部の外周表面から突出して設けられた傾斜リブであって、前記軸部の半径方向線に対して、前記軸部の回転方向下流側に傾斜して設けられた、および、前記螺旋リブの螺旋角度に対して略直交する方向に沿って延びて設けられた傾斜リブと、
を備えることを特徴とする撹拌搬送部材。
【請求項２】
前記軸線方向において、前記傾斜リブと隣接する傾斜リブは、約１８０度位相をずらして、前記軸部の外周表面から突出していることを特徴とする請求項１に記載の撹拌搬送部材。
【請求項３】
前記傾斜リブは、前記軸部の半径方向線に対して前記回転方向下流側に約１５度傾いていることを特徴とする請求項１または２に記載の撹拌搬送部材。
【請求項４】
画像形成装置本体に着脱可能な現像装置において、
電子写真感光体に形成された潜像を現像するための現像部材と、
前記電子写真感光体の潜像を現像するための現像剤を収納する現像剤収納部と、
前記現像剤収納部に収納された現像剤を撹拌しながら搬送する撹拌搬送部材であって、軸部と、前記軸部の外周表面から突出して螺旋状に設けられた螺旋リブと、前記軸部の軸線方向において前記螺旋リブのピッチ間に、前記軸部の外周表面から突出して設けられた傾斜リブであって、前記軸部の半径方向線に対して、前記軸部の回転方向下流側に傾斜して設けられた、および、前記螺旋リブの螺旋角度に対して略直交する方向に沿って延びて設けられた傾斜リブと、を有する撹拌搬送部材と、
を備えることを特徴とする現像装置。
【請求項５】
前記軸線方向において、前記傾斜リブと隣接する傾斜リブは、約１８０度位相をずらして、前記軸部の外周表面から突出していることを特徴とする請求項４に記載の現像装置。
【請求項６】
前記傾斜リブは、前記軸部の半径方向線に対して前記回転方向下流側に約１５度傾いていることを特徴とする請求項４または５に記載の現像装置。
【請求項７】
画像形成装置本体に着脱可能なプロセスカートリッジにおいて、
電子写真感光体と、
前記電子写真感光体に形成された潜像を現像するための現像部材と、
前記電子写真感光体の潜像を現像するための現像剤を収納する現像剤収納部と、
前記現像剤収納部に収納された現像剤を撹拌しながら搬送する撹拌搬送部材であって、軸部と、前記軸部の外周表面から突出して螺旋状に設けられた螺旋リブと、前記軸部の軸線方向において前記螺旋リブのピッチ間に、前記軸部の外周表面から突出して設けられた傾斜リブであって、前記軸部の半径方向線に対して、前記軸部の回転方向下流側に傾斜して設けられた、および、前記螺旋リブの螺旋角度に対して略直交する方向に沿って延びて設けられた傾斜リブと、を有する撹拌搬送部材と、
を備えることを特徴とするプロセスカートリッジ。
【請求項８】
前記軸線方向において、前記傾斜リブと隣接する傾斜リブは、約１８０度位相をずらして、前記軸部の外周表面から突出していることを特徴とする請求項７に記載のプロセスカートリッジ。
【請求項９】
前記傾斜リブは、前記軸部の半径方向線に対して前記回転方向下流側に約１５度傾いていることを特徴とする請求項７または８に記載のプロセスカートリッジ。
【請求項１０】
プロセスカートリッジを着脱可能であって、記録媒体に画像を形成するための画像形成装置において、
装着部と、
前記装着部に取り外し可能に装着されるプロセスカートリッジであって、電子写真感光体と、前記電子写真感光体に形成された潜像を現像するための現像部材と、前記電子写真感光体の潜像を現像するための現像剤を収納する現像剤収納部と、前記現像剤収納部に収納された現像剤を撹拌しながら搬送する撹拌搬送部材であって、軸部と、前記軸部の外周表面から突出して螺旋状に設けられた螺旋リブと、前記軸部の軸線方向において前記螺旋リブのピッチ間に、前記軸部の外周表面から突出して設けられた傾斜リブであって、前記軸部の半径方向線に対して、前記軸部の回転方向下流側に傾斜して設けられた、および、前記螺旋リブの螺旋角度に対して略直交する方向に沿って延びて設けられた傾斜リブと、を有する撹拌搬送部材と、を有するプロセスカートリッジと、
前記記録媒体を搬送するための搬送手段と、
を備えることを特徴とする画像形成装置。
【手続補正３】
【補正対象書類名】明細書
【補正対象項目名】０００１
【補正方法】変更
【補正の内容】
【０００１】
【発明の属する技術分野】
本発明は、シート等の転写材（記録媒体）上に画像を形成する機能を備えた、例えば、複写機、プリンタ、あるいは、ファクシミリ装置などの画像形成装置に関し、特に、これらの装置に備えられる、プロセスカートリッジ及び現像装置及び撹拌搬送装置に関するものである。
【手続補正４】
【補正対象書類名】明細書
【補正対象項目名】０００８
【補正方法】変更
【補正の内容】
【０００８】
【発明が解決しようとする課題】
本発明が解決しようとする課題は、先に述べた現像手段を安定的に提供することであり、短い時間内に効率よく現像剤を撹拌して搬送することができる撹拌搬送部材、及び現像装置及びプロセスカートリッジ及び画像形成装置を提供することにある。
【手続補正５】
【補正対象書類名】明細書
【補正対象項目名】０００９
【補正方法】変更
【補正の内容】
【０００９】
【課題を解決するための手段】
上記目的を達成するために本発明にあっては、
現像剤収納部に収納された現像剤を撹拌しながら搬送する撹拌搬送部材において、
軸部と、
前記軸部の外周表面から突出して螺旋状に設けられた螺旋リブと、
前記軸部の軸線方向において前記螺旋リブのピッチ間に、前記軸部の外周表面から突出して設けられた傾斜リブであって、前記軸部の半径方向線に対して、前記軸部の回転方向下流側に傾斜して設けられた、および、前記螺旋リブの螺旋角度に対して略直交する方向に沿って延びて設けられた傾斜リブと、
を備えることを特徴とする。
【手続補正６】
【補正対象書類名】明細書
【補正対象項目名】００１０
【補正方法】変更
【補正の内容】
【００１０】
現像装置にあっては、
画像形成装置本体に着脱可能な現像装置において、
電子写真感光体に形成された潜像を現像するための現像部材と、
前記電子写真感光体の潜像を現像するための現像剤を収納する現像剤収納部と、
前記現像剤収納部に収納された現像剤を撹拌しながら搬送する撹拌搬送部材であって、軸部と、前記軸部の外周表面から突出して螺旋状に設けられた螺旋リブと、前記軸部の軸線方向において前記螺旋リブのピッチ間に、前記軸部の外周表面から突出して設けられた傾斜リブであって、前記軸部の半径方向線に対して、前記軸部の回転方向下流側に傾斜して設けられた、および、前記螺旋リブの螺旋角度に対して略直交する方向に沿って延びて設けられた傾斜リブと、を有する撹拌搬送部材と、
を備えることを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
画像形成装置本体に着脱可能なプロセスカートリッジにあっては、
電子写真感光体と、
前記電子写真感光体に形成された潜像を現像するための現像部材と、
前記電子写真感光体の潜像を現像するための現像剤を収納する現像剤収納部と、
前記現像剤収納部に収納された現像剤を撹拌しながら搬送する撹拌搬送部材であって、軸部と、前記軸部の外周表面から突出して螺旋状に設けられた螺旋リブと、前記軸部の軸線方向において前記螺旋リブのピッチ間に、前記軸部の外周表面から突出して設けられた傾斜リブであって、前記軸部の半径方向線に対して、前記軸部の回転方向下流側に傾斜して設けられた、および、前記螺旋リブの螺旋角度に対して略直交する方向に沿って延びて設けられた傾斜リブと、を有する撹拌搬送部材と、
を備えることを特徴とする。
【手続補正９】
【補正対象書類名】明細書
【補正対象項目名】００１３
【補正方法】変更
【補正の内容】
【００１３】
プロセスカートリッジを着脱可能であって、記録媒体に画像を形成するための画像形成装置にあっては、
装着部と、
前記装着部に取り外し可能に装着されるプロセスカートリッジであって、電子写真感光体と、前記電子写真感光体に形成された潜像を現像するための現像部材と、前記電子写真感光体の潜像を現像するための現像剤を収納する現像剤収納部と、前記現像剤収納部に収納された現像剤を撹拌しながら搬送する撹拌搬送部材であって、軸部と、前記軸部の外周表面から突出して螺旋状に設けられた螺旋リブと、前記軸部の軸線方向において前記螺旋リブのピッチ間に、前記軸部の外周表面から突出して設けられた傾斜リブであって、前記軸部の半径方向線に対して、前記軸部の回転方向下流側に傾斜して設けられた、および、前記螺旋リブの螺旋角度に対して略直交する方向に沿って延びて設けられた傾斜リブと、を有する撹拌搬送部材と、を有するプロセスカートリッジと、
前記記録媒体を搬送するための搬送手段と、
を備えることを特徴とする。
【手続補正１０】
【補正対象書類名】明細書
【補正対象項目名】００１６
【補正方法】変更
【補正の内容】
【００１６】
また、プロセスカートリッジとは、帯電手段、現像手段、クリーニング手段の少なくとも一つと、像担持体である電子写真感光ドラムを一体的にカートリッジ化し、このカートリッジを画像形成装置本体に対して着脱可能とするものである。また、現像装置とは、現像手段を一体的にカートリッジ化し、このカートリッジを画像形成装置本体に対して着脱可能とするものである。また、撹拌搬送部材は、本実施の形態では粉体としてトナーを撹拌し搬送しているが、これに限るものではない。
【手続補正１１】
【補正対象書類名】明細書
【補正対象項目名】００５６
【補正方法】変更
【補正の内容】
【００５６】
現像剤が循環している現像剤収納部４ｈは、両端部を除いて長手方向の隔壁４ｄで２つに仕切られている。そして、現像剤搬送部材としての撹拌スクリュー４ｅＡ，本実施の形態の特徴的な構成である撹拌搬送部材としての撹拌スクリュー４ｅＢがこの隔壁４ｄを挟んで配置されている。撹拌スクリュー４ｅＢは粉体としてトナーを撹拌して搬送するものであるが、撹拌スクリュー４ｅＢについての詳細な説明は後述する。
【手続補正１２】
【補正対象書類名】明細書
【補正対象項目名】００９３
【補正方法】変更
【補正の内容】
【００９３】
【発明の効果】
以上説明したように、本発明によれば、短い時間内に効率よく現像剤を撹拌して搬送することができる。また、高速の画像形成装置に適用される場合でも、安定した現像剤の撹拌・搬送が行われ高品質の画像を提供することが可能となる。